(57)【要約】      （修正有）【課題】ある程度自立して歩行することが可能な歩行者が携帯し、杖として利用し、あるいは起立時の補助に用いることが可能な小型化された歩行補助具を提供する。【解決手段】歩行補助具は把持部２と、脚部３と石付部５とから構成される歩行補助具であって、脚部と石突部との間に使用者が負荷する力に対して付勢力を付与する付勢力付与部材４を備えている。そして、付勢力付与部材は、脚部と石突部材の間に備えられたスプリング部材であることが好ましく、特にその付勢力を調整可能なスプリング部材である。【選択図】図１
2014094226.tif 000002
【特許請求の範囲】
【請求項１】
把持部と、脚部と石付部とから構成される歩行補助具であって、前記脚部と石突部との間に使用者が負荷する力に対して付勢力を付与する付勢力付与部材を備えたことを特徴とする歩行補助具。
【請求項２】
前記石突部は、平板状の石突部であって、前記石突部の地面と接触する部分にクッション部材を備えていることを特徴とする請求項１に記載の歩行補助具。
【請求項３】
前記付勢力付与部材は、前記脚部と石突部材の間に備えられたスプリング部材であることを特徴とする請求項１または請求項２に記載の歩行補助具。
【請求項４】
前記スプリング部材はその付勢力を調整可能であることを特徴とする請求項３に記載の歩行補助具。
【請求項５】
前記付勢力付与部材は、前記脚部と石突部材の間に備えられた帯状の弾性部材であることを特徴とする請求項１から請求項４のいずれか１項に記載の歩行補助具。
【請求項６】
平板状のプレートと前記プレートの背面全体に設けたクッション部材からなる歩行補助具用の石突部。
【発明の詳細な説明】
【技術分野】
【０００１】
本発明は歩行補助具に関するものであって、特に下半身に障害を有する者等が歩行に際して杖として利用が可能な歩行補助具に関するものである。
【０００２】
下半身に障害等を有する老齢者や障害者等が自身での歩行に際しては、杖等の歩行補助具が利用されるが、従来の杖は棒状に形成されており、これらの杖等の歩行補助具はほとんどが片手で保持して支えにするものである。
この杖を利用する場合、杖を支えにして姿勢を安定に保つためにはある程度の腕力が必要であり、腕の力が弱い歩行者や、自立性の低下した歩行者が使用するには好ましくない。
【０００３】
一方、安定性を考慮した歩行補助具といえば、例えば、病院等でのリハビリ用として用いられるものに見受けられる松葉杖のような形状のものがあるが、この種の歩行補助具は、その目的から歩行時の補助、起立時の補助等のように専用化された補助具として構成されており、また補助の安定度を高めるために大型に形成されたものが多く、前記したように、ある程度自立して歩行することが可能な歩行者が外出等の際に携帯しての歩行補助具として利用する際には有効ではない。
【０００４】
特許文献１にはＵ字型をした石突部と、前記石突部から上方に延長された一対の平行な脚部と、前記脚部の延長方向の上端部及び中間部にそれぞれ設けられた握持部とを備えた歩行補助具が開示されている。
【０００５】
しかしながら、特許文献１に記載の歩行補助具は、なおも大型で構成が複雑であり、また実質的に緩衝部により歩行補助を行っている。
【先行技術文献】
【特許文献】
【０００６】
特開２００２−６５７７１号公報
【発明の概要】
【発明が解決しようとする課題】
【０００７】
したがって、本発明の課題は、ある程度自立して歩行することが可能な歩行者が携帯し、杖として利用し、あるいは起立時の補助に用いることが可能な小型化された歩行補助具を提供することにある。
【課題を解決するための手段】
【０００８】
上記課題を解決する本発明は、把持部と、脚部と石付部とから構成される歩行補助具であって、前記脚部と石突部との間に使用者が負荷する力に対して付勢力を付与する付勢力付与部材を備えたことを特徴とする歩行補助具である。
【０００９】
本発明の歩行補助具において、前記石突部は、平板状の石突部であって、前記石突部の地面と接触する部分にクッション部材を備えていることが好ましい。
【００１０】
また、本発明の歩行補助具において、付勢力付与部材は、前記脚部と石突部材の間に備えられたスプリング部材であることが好ましく、特にその付勢力を調整可能なスプリング部材であることが好ましい。
【００１１】
また、本発明の歩行補助具において、付勢力付与部材は、前記脚部と石突部材の間に備えられた帯状の弾性部材であることができる。さらに本発明は平板状のプレートと前記プレートの背面全体に設けたクッション部材からなる歩行補助具用の石突部に関する。
【発明の効果】
【００１２】
このように構成された本発明の歩行補助具は、部品点数も少なく、歩行時の使用者の負荷に追従して付勢力が作用する。すなわち、使用者が歩行をする際、つま先部分で付勢力付与部材を踏みつけると、その反力で足裏部位がひざ方向に押し上げられ足全体を容易に上昇させることができるので通常歩行と同程度の歩行が可能となる。
また、簡単な構成であるために、ある程度自立して歩行することが可能な歩行者が携帯し、杖として利用し、あるいは起立時の補助に用いることが可能となる。
【図面の簡単な説明】
【００１３】
【図１】本発明の第１実施形態に係る歩行補助具を示す図面である。
【図２】本発明の第２実施形態に係る歩行補助具を示す図面である。
【発明を実施するための形態】
【００１４】
以下、本発明の実施の形態を添付図面に基づいて説明する。
（第１実施形態）
まず、図１に基づいて本発明の第１実施形態に係る歩行補助具について説明する。
【００１５】
図１に示す通り本発明の第１実施形態にかかる歩行補助具（以下、第１の歩行補助具１という）は、把持部２と、脚部３と石付部５とから構成される歩行補助具であって、脚部３と石突部５との間に使用者が負荷する力に対して付勢力を付与する付勢力付与部材４を備えている。
【００１６】
第１の歩行補助具１における把持部２は、使用者が使用時に把持する部材であり、図１に示すように金属にゴム等を捲いたものや硬質プラスチック製のものを別体で設けることもでき、あるいは従来技術に記載のように脚部３の頂部にゴム等を捲いて脚部と一体成形してもよく、本発明の機能を果たすものであれば特に限定されるものではない。
【００１７】
また、第１の歩行補助具１における脚部３は、アルミニウム等の軽量金属パイプを垂直方向に延長し、その頂部は、把持部２と接続できるようにＵ字型に加工され、底部は付勢力付与部材４を介して石突部５と接続されている。また、従来技術のように脚部３は、伸縮自在に構成することも可能である。
【００１８】
第１の歩行補助具１において、石突部５は、平板状のプレートとクッション部材５Ａの二層構造をしており、平板状のプレートは、鉄、ステンレス、アルミニウム等の金属類または木材等で構成されている。一方、ゴム等のクッション部材（可撓性部材）を使用して、靴底のような滑り止めやクッション性を付与する。
【００１９】
このように平板状のプレートと前記プレートの背面全体に設けたクッション部材５Ａとなる石突部は新規である。したがって、本発明は、平板状のプレートと前記プレートの背面全体に設けたクッション部材からなる歩行補助具用の石突部も本発明の範囲内である。
【００２０】
第１の歩行補助具１において、付勢力付与部材４は、図１に示す通り、一対の脚部３から垂直方向に延びる位置に配置した２本のスプリングから構成されている。なお、スプリングの本数や配置位置は本発明の目的・効果を阻害しない限り特に限定されない。
【００２１】
第１の歩行補助具の特定の実施形態において、付勢力付与部材４の付勢力を調整可能にすることができる。すなわち、付勢力付与部材４である各スプリングの間に緩衝部材を設けて付勢力を変化させたり、付勢力付与部材の配置位置を変化させる構成により歩行姿勢を使用者に応じて適応させることが可能である。
【００２２】
例えば、一方のスプリングの付勢力を強くしたり、あるいは一方のスプリングの位置を内側に配置したりすることにより、付勢力に方向性を持たせることができる。そのため、歩行姿勢が例えば前傾の使用者や歩行姿勢が後傾の使用者に適応した付勢力を付与することが可能である。
【００２３】
このようなスプリングの位置の変化は、脚部の後端に複数のスプリング挿入口と石突部５の表面の脚部の後端に複数のスプリング挿入口と相対する部分にスプリング挿入口を、例えば石突部５を着脱自在に設けることによって実現可能である。
【００２４】
このように構成した第１の歩行補助具は、使用者がつま先部分で付勢力付与部材４に負荷をかけると、その反力で使用者の足裏部位に付勢力を付与し、そのため足全体をひざ方向へ容易に引き上げることが可能となる。
また、各スプリングの位置を変化させたり、各スプリングの付勢力を変化させることにより、つま先を垂直方向に上下動できないような者であっても、付勢力の力や方向性を変化させることにより、使用者の歩行姿勢に応じた付勢力を足裏部位に付与することが可能である。
（第２実施形態）
まず、図２に基づいて本発明の第２実施形態に係る歩行補助具について説明する。
【００２５】
図２に示す本発明の第２実施形態にかかる歩行補助具（以下、第２の歩行補助具１’という）は、付勢力付与部材が帯状の弾性部材である以外は第１の歩行補助具と同様であるので、その構成要素には同位置符号を付しその詳細な説明は省略する。
【００２６】
第２の歩行補助具１’は、第１の歩行補助具１と同様に、把持部２と、脚部３と石付部５とから構成される歩行補助具であって、脚部３と石突部５との間に使用者が負荷する力に対して付勢力を付与する第２の歩行補助具１’を備えている。
【００２７】
図２に示す第２の歩行補助具１’は、第１の歩行補助具１をより簡単な構成にしたもので両脚部の下方(地面側)に帯状の弾性部材を、１ないし複数固着して付勢力付与部材を構成している。
【００２８】
このように構成することにより第２の歩行補助具１’も第１の歩行補助具１と同様の機能を発揮する。
【００２９】
以上、本発明の実施の形態を説明したが本発明はこれらに限定されるものではない。例えば第１の歩行補助具１に適用した石突部４を第２の歩行補助具１’に適用することも本発明の範囲内であり、また、第１の歩行補助具１に適用したスプリングと第２の歩行補助具１’に適用した帯状の弾性部材の両方を適用した歩行補助具も本発明の範囲内である。
【産業上の利用可能性】
【００３０】
本発明の歩行補助具は、半身が不自由な者の殆どが自身の力で足をひざ方向へ持ち上げての歩行が困難であり、その補助として足裏部分に弾性体であるバネ部材部位を設けることにより歩行時に足裏部位をひざ方向へ持ち上げることを容易にする機能を有している。
【符号の説明】
【００３１】
１，１’    歩行補助具
２          把持部
３          脚部
４，４’    付勢力付与部
５          石突部
【図１】
2014094226.tif 000003
【図２】
2014094226.tif 000004